(57)【要約】【課題】連写撮影中において最後まで確実に撮影が行なわれる撮影装置を提供する。  【解決手段】露出制御手段であるメインＣＰＵと測光・測距ＣＰＵとが連携して、連写開始時は、機械式シャッタの開閉で露出が決定され、連写の途中で電子シャッタにより露出が決定されるように、機械式シャッタおよび電子シャッタを制御する。メインＣＰＵと測光・測距ＣＰＵとが連携して連写開始時には機械式シャッタの開閉で露出が決定されるように、またステップＳ３０３３で連写枚数が所定枚数を超えたと判定したら電子シャッタにより露出が決定されるように制御する。そうすると、機械式シャッタの駆動部が発熱して駆動部が壊れそうなときには機械式シャッタを開けたままにして電子シャッタにより露出が決定される様になるので、最後まで撮影が確実に行なわれる様になる。【選択図】図３（ｂ）
2008060630.tif 000002
【特許請求の範囲】
【請求項１】
撮影光学系で被写体光を捉えて該被写体光を撮像素子上に結像させ該撮像素子で被写体を表わす画像データを生成する撮影装置において、
前記撮影光学系が、通過する光束を機械的に通過および遮断する機械式シャッタを備えるとともに、前記撮像素子が、露出時間を電子的に定める電子シャッタを備え、当該撮影装置が連続的に撮影を行なう連写モードを有するものであって、
連写開始時は、前記機械式シャッタの開閉で露出が決定され、連写の途中で前記電子シャッタにより露出が決定されるように、前記機械式シャッタおよび前記電子シャッタを制御する露出制御手段を備えたことを特徴とする撮影装置。
【請求項２】
前記露出制御手段は、一回の連写中の所定枚数の撮影までは前記機械式シャッタの開閉で露出が決定され、該所定枚数を超えると前記電子シャッタにより露出が決定されるように、前記機械式シャッタおよび前記電子シャッタを制御するものであることを特徴とする請求項１記載の撮影装置。
【請求項３】
前記機械式シャッタを駆動する駆動部の温度を測定する温度センサを備え、
前記露出制御手段は、一回の連写中、前記駆動部の温度が所定温度以下のときは前記機械式シャッタにより露出が決定され、該駆動部の温度が所定温度を超えると前記電子シャッタで露出が決定されるように、前記機械式シャッタおよび前記電子シャッタを制御するものであることを特徴とする請求項１記載の撮影装置。
【請求項４】
前記露出制御手段により、機械式シャッタの開閉で露出が決定される制御モードから前記電子シャッタにより露出が決定される制御モードに切り替えられたことをユーザに向けて通知する通知手段を備えたものであることを特徴とする請求項１記載の撮影装置。
【請求項５】
連写により得られた画像データが機械式シャッタの開閉で露出が決定される制御モードでの撮影により得られた画像データであるか、あるいは電子シャッタにより露出が決定される制御モードでの撮影により得られた画像データあるかを表わすデータを該画像データに対応づけて記録する記録手段を備えたことを特徴とする請求項１記載の撮影装置。  
【発明の詳細な説明】
【技術分野】
【０００１】
本発明は、撮影光学系で被写体光を捉えて該被写体光を撮像素子に結像させ該撮像素子で被写体を表わす画像データを生成する撮影装置に関する。
【背景技術】
【０００２】
デジタルカメラには、撮影光学系が、通過する光束を機械的に通過および遮断する機械式シャッタを備え、さらに撮像素子が露出時間を電子的に定める電子シャッタを備えているものが多い。上記機械式シャッタを用いると、撮像素子への入光が完全に遮ぎられるので撮像素子にスミアなどを発生させることがなくなるが、機械式シャッタだけであると機械式シャッタの開閉速度が遅く短いシャッタ秒時の撮影には対応することができなくなることがあるので短いシャッタ秒時を実現するために電子シャッタが使用される。
【０００３】
特許文献１には、相対的に短いシャッタ秒時においては電子シャッタを用い、相対的に長いシャッタ秒時においては機械式シャッタを用いる技術が提案されている。
【０００４】
ところで、デジタルカメラには、連続的に撮影を行なう連写モードを有するものがある。この連写モードで連写撮影が行なわれるときにも上記特許文献１の技術を活用することができるが、たとえ相対的に長いシャッタ秒時であっても繰り返し機械式シャッタを用い続けると駆動部の温度が上昇して駆動部に異常が発生し撮影を行なうことができなくなってしまう恐れがある。例えば駆動部がコイルの電磁誘導により機械式シャッタを開閉駆動するものであった場合には、連写が長時間に及んだ場合や相対的に連写間隔の短い連写で短時間のうちに多くの回数の連写が行なわれた場合などにコイルが発熱してコイル周辺の軸受け部等が変形する等の不具合が発生してしまう可能性がある。
【特許文献１】特開２００４−３６３７７８号公報
【発明の開示】
【発明が解決しようとする課題】
【０００５】
本発明は、上記事情に鑑み、連写撮影中において最後まで確実に撮影が行なわれる撮影装置を提供することを目的とする。
【課題を解決するための手段】
【０００６】
上記目的を達成する本発明の撮影装置は、撮影光学系で被写体光を捉えて該被写体光を撮像素子上に結像させ該撮像素子で被写体を表わす画像データを生成する撮影装置において、
上記撮影光学系が、通過する光束を機械的に通過および遮断する機械式シャッタを備えるとともに、上記撮像素子が、露出時間を電子的に定める電子シャッタを備え、当該撮影装置が連続的に撮影を行なう連写モードを有するものであって、
連写開始時は、上記機械式シャッタの開閉で露出が決定され、連写の途中で前記電子シャッタにより露出が決定されるように、上記機械式シャッタおよび上記電子シャッタを制御する露出制御手段を備えたことを特徴とする。
【０００７】
上記本発明の撮影装置によれば、連写モードが行なわれているときには上記露出制御手段によって、連写開始時には機械式シャッタの開閉で露出が決定されるように露出が制御され、連写の途中で機械式シャッタの駆動部の温度が上昇して駆動部に不具合が発生する前に上記機械式シャッタの代わりに上記電子シャッタにより露出が決定されるように露出が制御される。
【０００８】
つまり、例えば、これ以上機械式シャッタにより露出を制御して連写を行なうと駆動部が発熱して最後まで正常な撮影を行なうことができない恐れがあるときに、上記露出制御手段によって電子シャッタで露出が決定される様に露出の制御が行なわれて撮影が最後まで行なわれる。
【０００９】
上記露出制御手段が、電子シャッタで露出が決定される様に制御することへの切替を行なうタイミングを連写の途中で定めるにあたっては、
上記露出制御手段が、一回の連写中の所定枚数の撮影までは、上記機械式シャッタの開閉で露出が決定され、その所定枚数を超えると、上記電子シャッタにより露出が決定されるように、上記機械式シャッタおよび上記電子シャッタを制御するものであっても良く、
また、上記機械式シャッタを駆動する駆動部の温度を測定する温度センサを備え、
上記露出制御手段が、一回の連写中、上記駆動部の温度が所定温度以下のときは、上記機械式シャッタにより露出が決定され、その駆動部の温度が所定温度を超えると上記電子シャッタで露出が決定されるように、上記機械式シャッタおよび上記電子シャッタを制御するものであっても良い。
【００１０】
ここで、上記露出制御手段により、機械式シャッタの開閉で露出が決定される制御モードから上記電子シャッタにより露出が決定される制御モードに切り替えられたことをユーザに向けて通知する通知手段を備えたものであることが好ましい。
【００１１】
前述した様に機械式シャッタを用いた方が、撮像素子への入光が完全に遮ぎられるため、撮像素子にスミアなどを発生させることがなく画質が向上する。これに対し電子シャッタを用いると、遮光が完全には行なわれずに場合によっては撮像素子側にスミアが発生して画質が劣化することがある。
【００１２】
上記の様に電子シャッタにより撮影が行なわれていることを撮影者に通知する構成にしておくと、撮影者が、電子シャッタによる撮影では画質が落ちると考えて撮影を中止することができる。このときには、撮影者が連写撮影の代わりに、一枚、一枚シャッタを押すことによって一枚、一枚連続的に撮影を行なうこともできる。
【００１３】
また、連写により得られた画像データが機械式シャッタの開閉で露出が決定される制御モードでの撮影により得られた画像データであるか、あるいは電子シャッタにより露出が決定される制御モードでの撮影により得られた画像データあるかを表わすデータをその画像データに対応づけて記録する記録手段を備えた態様であることが好ましい。
【００１４】
そうすると、再生モードで画像データに基づく画像が表示画面上に表示されたときに、上記記録手段によって画像データに対応づけて記録されている上記データが表わすシャッタに関する情報が画像データが表わす画像とともに表示画面上に表示される。
【００１５】
その結果、撮影者は、その表示画面上の表示を見て撮影画像の画質の劣化の原因が電子シャッタにあることにすぐに気づく様になる。
【００１６】
こうして撮影者が撮影画像の画質の劣化が電子シャッタにあることに気づく様になると、この撮影者が新たな撮影を行なっているときに電子シャッタへの切り替えが撮影装置から音や画像により通知されたときには撮影を即座に中止するか、また画質が落ちることを承知の上で撮影を続行するかを自らの判断により選択することができる様になる。
【発明の効果】
【００１７】
以上、説明したように、連写撮影中において最後まで確実に撮影が行なわれる撮影装置が実現する。
【発明を実施するための最良の形態】
【００１８】
以下、図面を参照して本発明の実施の形態を説明する。
【００１９】
図１は、本発明の撮影装置の一実施形態であるデジタルカメラを示す図である。
【００２０】
図１には本発明の一実施形態であるデジタルカメラ１００の斜視図が示されている。図１（ａ）には正面上方から見た斜視図が示されており、図１（ｂ）には背面上方から見た斜視図が示されている。
【００２１】
図１（ａ）に示すように、本実施形態のデジタルカメラ１００のボディ中央にはレンズ鏡胴１７０が備えられており、そのレンズ鏡胴１７０の上方には、ファインダ１０５が備えられている。またそのファインダ１０５の脇には撮影補助光発光窓１６１が備えられている。
【００２２】
また、図１（ｂ）に示すように本実施形態のデジタルカメラ１００の背面および上面にはユーザがこのデジタルカメラ１００を使用するときにいろいろな操作を行なうための操作子群１０１が備えられている。
【００２３】
この操作子群１０１の中にはデジタルカメラ１００を作動させるための電源スイッチ１０１ａのほか、十字キー１０１ｂ、メニュー／ＯＫキー１０１ｃ、キャンセルキー１０１ｄ、モードレバー１０１ｅなどがある。これらの操作子群１０１の中のモードレバー１０１ｅによっては、再生モードと撮影モードの切替や撮影モードの中でさらに動画モード、静止画モードの切替が行なわれる。上記モードレバー１０１ｅが撮影モードに切り替えられた状態にあるときに電源スイッチ１０１ａが投入されたら表示画面１５０上にスルー画が表示されて、そのスルー画を見ながらシャッタチャンスにレリーズ釦１０２が押されたら被写体の撮影が行なわれる。なお上記モードレバー１０１ｅが再生側に切り替えられた状態にあるときには既撮影画像がＬＣＤパネル１５０上に再生表示される。
【００２４】
なお本実施形態のデジタルカメラ１００が備えるレリーズ釦１０２は半押しと全押しの２つの操作態様を有しており、半押しされたときのタイミングで測光と測距との双方が撮影装置内で行われて測光値に応じた絞りおよびシャッタ秒時（機械式シャッタ又は電子シャッタのうちのいずれかを優先的に用いる）が設定され、さらに測距された被写体距離にあうピント位置にフォーカスレンズが配置された後、レリーズボタンの全押し操作に応じて機械式シャッタ（又は電子シャッタ）が駆動されＣＣＤ固体撮像素子で露光が行なわれる。
【００２５】
図２は、図１のデジタルカメラ１００内部の電気系統の構成ブロック図である。  
【００２６】
図２を参照してこのデジタルカメラ１００の内部の構成および動作を簡単に説明する。
【００２７】
本実施形態のデジタルカメラ１００ではすべての処理がメインＣＰＵ１１０によって統括的に制御されている。このメインＣＰＵ１１０の入力部には図１（ｂ）に示した操作子ン群１０１からの操作信号がそれぞれ供給されていてそれらの操作信号のうちの少なくとも一つが供給されてきたら操作信号に応じた処理が適宜ＣＰＵ１１０によって実行される。メインＣＰＵ１１０はＥＥＰＲＯＭ１１０ａを有しており、このＥＥＰＲＯＭ１１０ａにはデジタルカメラ１００として動作するために必要なプログラムが書き込まれているので、まず操作子群１０１の中の電源スイッチ１０１ａ（図１参照）が投入されたらそのＥＥＰＲＯＭ１１０ａ内のプログラムの手順にしたがってメインＣＰＵ１１０によりこのデジタルカメラ全体の動作を制御する処理が開始される。なお、ＣＰＵ１１０とＥＥＰＲＯＭ１１０ａには常に電源１３０から電力が供給されている。
【００２８】
ここで操作子群１０１の中の電源スイッチ１０１ａ（図１参照）が投入された後のデジタルカメラ１００の動作を、図２を参照して説明する。
【００２９】
操作子群１０１の中の電源スイッチ１０１ａが投入されたら、メインＣＰＵ１１０により電源スイッチ１０１ａが投入されたことが検知され、電源１３０から測光・測距ＣＰＵ１２０などの各ブロックに電力が供給される。電源１３０から各部に電力が供給されたときにモードレバー１０１ｅが撮影側に切り替えられている場合には、まず撮影レンズ１１１０，１１１１によりＣＣＤ固体撮影素子１１２上に結像された被写体像が画像信号として所定の間隔ごとに間引かれて出力され、その出力された画像信号に基づく被写体像が画像表示ＬＣＤ１５のＬＣＤパネル１５０上に表示される。このＣＣＤ固体撮像素子１１２にはクロックジェネレータ（以下、ＣＧという）１１２１からタイミング信号が供給されており、このタイミング信号によって所定の間隔ごとにＣＣＤ固体撮像素子１１２に電子シャッタが設定され画像信号が間引かれて出力される。このＣＧ１１２１からはメインＣＰＵ１１０からの指示に基づいてタイミング信号に同期した信号がＣＣＤ固体撮像素子１１２の他、後段のホワイトバランスγ処理部１１３、さらにＡ／Ｄ部１１４にも供給されているので、ＣＣＤ固体撮像素子１１２、ホワイトバランスγ処理部１１３、Ａ／Ｄ部１１４ではそのタイミング信号に同期して順序良く画像信号の処理が流れるように行なわれる。
【００３０】
つまり本実施形態のデジタルカメラ１００においては、機械式シャッタ１１１３の駆動の制御やＣＧ１１２１からＣＣＤ固体撮像素子１１２に設定される電子シャッタの駆動の制御がメインＣＰＵ１１０からの指示に基づいて測光・測距ＣＰＵ１２０によって行なわれることになる。詳細は後述するが、本実施形態においては、このメインＣＰＵ１１０と測光・測距ＣＰＵ１２０との双方が本発明にいう露出制御手段に該当する。
【００３１】
こうしてＣＧ１１２１からのタイミング信号に同期してＣＣＤ固体撮像素子１１２、ホワイトバランスγ処理部１１３、Ａ／Ｄ部１１４で順序良く画像信号の処理が流れるように行なわれてＡ／Ｄ部１１４でアナログの画像信号がデジタルの画像信号に変換されたら、ホワイトバランス調整やガンマ補正された画像信号が後段のＹＣ処理部１１６に供給される。
【００３２】
このＹＣ処理部１１６でＹＣ分離の処理が行なわれるときにはＡ／Ｄ部１１４とＹＣ処理部１１６との間の処理タイミングをあわせる必要があるので、バッファメモリ１１５によってバッファメモリ１１５を境にした前段（Ａ／Ｄ部１１４等）の処理タイミングと後段（ＹＣ処理部１１６）の処理タイミングとがあう様に調整されてからＹＣ処理部１１６に画像信号であるＲＧＢ信号が転送される。
【００３３】
ＹＣ処理部１１６では、そのＲＧＢ信号からＹＣ信号への変換が行なわれ、その後バス１２１を介してその変換されたＹＣ信号が画像表示ＬＣＤ１５に供給されるとともにＹ信号がメインＣＰＵ１１０に供給される。
【００３４】
ＹＣ信号が供給される画像表示ＬＣＤ１５の方にはまずＹＣ信号をＲＧＢ信号に変換するＹＣ→ＲＧＢ変換部１５１があり、このＹＣ→ＲＧＢ変換部１５１でＹＣ信号が再びＲＧＢ信号に変換され、その変換されたＲＧＢ信号がドライバ１５２に供給され、さらにそのドライバ１５２によって画像表示ＬＣＤ１５のＬＣＤパネル１５０上にＲＧＢ信号に基づくカラー画像（被写体像）の表示が行なわれる。
【００３５】
また、Ｙ信号が供給されるメインＣＰＵ１１０の方では、Ｙ信号に基づいて測光が行なわれその測光値が後述する測光・測距ＣＰＵ１２０に供給されてその測光・測距ＣＰＵ１２０によって絶えず絞り径の変更設定やＣＣＤ固体撮像素子１１２の電子シャッタ秒時（ＣＧ１１２１）の設定等が行なわれて適正な明るさを持つスルー画を得るために必要な露出が調整される様になっている。さらに、メインＣＰＵ１１０では、Ｙ信号からコントラストが検出されピント調整も絶えず行なわれる様になっていて、そのピント調整により得た合焦位置が測光・測距ＣＰＵ１２０に通知され測光・測距ＣＰＵ１２０によって撮影レンズ１１１１であるフォーカスレンズが合焦位置に配置される様にもなっている。
【００３６】
前述したＣＧ１１２１から出力されるタイミング信号に同期してＣＣＤ固体撮像素子１１２、ホワイトバランスγ処理部１１３、Ａ／Ｄ部１１４およびバッファメモリ１１５等が動作して、所定の間隔ごとにＣＣＤ固体撮像素子１１２で生成された画像信号が処理されている訳であるから、この画像表示ＬＣＤ１５の表示パネル１５０上には撮影レンズが向けられた方向の被写体が被写体像として常に表示され続ける。この表示され続けている被写体像を視認しながら、シャッタチャンスにレリーズ釦１０２が押されると、レリーズ釦１０２の押下タイミングを起点として測光・測距ＣＰＵ１２０により所定のシャッタ秒時で機械式シャッタ１１１３が開駆動されてＣＣＤ固体撮像素子１１２に被写体光が結像され所定のシャッタ秒時が経過して機械式シャッタが閉じ駆動される。機械式シャッタ１１１３が閉じ駆動された後にＣＧ１１２１からＣＣＤ固体撮像素子１１２に読み出し信号が供給されその読み出し信号に応じてＣＣＤ固体撮像素子１１２に結像された画像信号がＲＧＢ信号となって出力される。出力されたＲＧＢ信号はＹＣ処理部１１６でＹＣ信号に変換されてさらに圧縮・伸張部１１７でＹＣ信号が圧縮され、その圧縮された画像信号がヘッダと共に画像ファイルとなってメモリカード１１９に記録される。この圧縮・伸張部１１７では静止画についてはＪＰＥＧ規格に準拠した圧縮方法で圧縮が行なわれてメモリカード１１９に画像ファイルが記録される。この画像ファイルのヘッダには圧縮情報や撮影情報などが書き込まれており、このデジタルカメラ１００のモードレバー１０１ｅが再生側に切り替えられたら、メモリカード１１９からそのファイルのヘッダがまず読み出され、そのヘッダ内の圧縮情報に基づいてファイル内の圧縮画像信号が圧縮・伸張部１１７で伸張されて画像信号が元に復元された後、その画像信号に基づく被写体像がＬＣＤパネル１５０上に表示される。
【００３７】
また、本発明のデジタルカメラ１００は、連写モードを有しており、その連写モードがメニューボタン１０１ｃの操作などにより指定されているときにはレリーズボタン１０２の押し操作に応じて所定の連写回数の連写が行なわれる様になっている。この連写モードにあっては、撮影回数や撮影間隔などの設定が撮影者によって行なわれる様になっており、この連写モードにおいてはメインＣＰＵ１１０が測光・測距ＣＰＵ１２０と連携して、その設定された撮影回数や撮影間隔に応じて、連写開始時は、機械式シャッタ１１１３の開閉で露出が決定され、連写の途中で電子シャッタ（ＣＧ１１２１によりＣＣＤ固体撮像素子１１２に設定される）により露出が決定されるように、機械式シャッタ１１１３および電子シャッタを制御する構成になっている。前述した様に本実施形態においては、メインＣＰＵ１１０と測光・測距ＣＰＵ１２０とが露出制御手段に該当する。
【００３８】
ここで、本発明にいう露出制御手段に該当するメインＣＰＵ１１０と測光・測距ＣＰＵ１２０とが連携して行なう撮影処理を説明する。
【００３９】
図３（ａ）は、メインＣＰＵ１１０と測光・測距ＣＰＵ１２０が行なう撮影処理の手順を示すフローチャートである。
【００４０】
図３（ａ）のフローの処理は、シャッタボタン１０２が半押しされたときに開始される。
【００４１】
シャッタボタン１０２が半押しされたら、ステップＳ３０１でＡＥ処理（測光結果に応じて絞り等を調整して露出調整を行なう）を実行して、次のステップＳ３０２でＡＦ処理（フォーカスレンズを合焦位置に配置する）を実行する。
【００４２】
ここでシャッタボタン１０２が全押しされたら、ステップＳ３０３へ進んでステップＳ３０３で連写撮影を開始し、連写撮影が終了したら次のステップＳ３０４へ進む。なおこの例ではステップＳ３０３で連写枚数分の連写撮影が行なわれているときには、各回の連写撮影ごとに得られた画像信号がＣＣＤ固体撮像素子から各回の撮影ごとに出力されホワイトバランスγ処理部内の一時記憶部に記憶されているとする。
【００４３】
次のステップＳ３０４で一時記憶部に読み出し信号を供給して画像信号を順次に読み出してＡ／Ｄ部１１４へと供給させる。
【００４４】
次のステップＳ３０５でＡ／Ｄ部１１４にＡ／Ｄ変換を行なわせ、次のステップＳ３０６でデジタル信号に変換された画像信号を、バッファメモリ１１５からバス１２１を経由してＹＣ処理部１１６に供給させる。こうしてＹＣ信号処理部１１６に信号処理を行なわせてＹＣ処理部１１６での信号処理が終了したら、次のステップＳ３０７で今度はバス１２１を経由して圧縮・伸張部１１７に１フレーム分の画像信号を順次に供給させ圧縮伸張部１１７に圧縮処理を行なわせて、メモリカード１１９に連写により得た画像データすべてを記録させてこのフローの処理を終了する。
【００４５】
ここで、本発明にいう露出制御手段であるメインＣＰＵ１１０と測光・測距ＣＰＵが連携して行なう露出制御の処理を図３（ｂ）を参照して説明する。
【００４６】
図３（ｂ）は、図３（ａ）の露光ステップＳ３０３の詳細を示すフローチャートである。
【００４７】
まず、ステップＳ３０３でシャッタボタンが全押しされたら、一回目の撮影に先立ってステップＳ３０３１でＣＧ１１２１に指示してＣＣＤ固体撮像素子１１２に掃き出し信号を供給させて内部に蓄えられている余計な電荷を掃き出させる。次のステップＳ３０３２へ進んで露光を開始する。ここではまず機械式シャッタ１１１３により露出が決定されるように機械式シャッタ１１１３を開けてＣＣＤ固体撮像素子１１２に露光を行なわせる。さらに次のステップＳ３０３３へ進んで連写枚数が所定枚数を超えたかどうかを判定する。ここではまだ連写撮影が始まったばかりなのでステップＳ３０３４へ進んで所定のシャッタ秒時後に機械式シャッタを閉じて露光を停止する。次のステップＳ３０３５で電荷の転送つまり読み出しを行なってホワイトバランスγ処理部内の一時記憶部に一旦記憶する。次のステップＳ３０３６で今度は機械式シャッタを開けて、次のステップＳ３０３７へ進んでステップＳ３０３７で撮影を続行するかどうかを判定する。ここで連写枚数が終了枚数に達していないと判定したら撮影継続側に進んでステップＳ３０３１へ戻ってステップＳ３０３１からステップＳ３０３７の処理を繰り返す。連写回数が進んでいって、ステップＳ３０３３で、連写枚数が所定枚数を超えたと判定したら、機械式シャッタを閉じ駆動せずに開けたままにしてＣＣＤ固体撮像素子１１２が備える電子シャッタにより露出が決定されるようにＣＧ１１２１にＣＣＤ固体撮像素子１１２へ向けて露光開始信号を供給させることにより電子シャッタを開駆動して露光を開始させ、所定のシャッタ秒時後にステップＳ３０３８へ進んでステップＳ３０３８で露光終了信号を供給させることにより電子シャッタを閉じ駆動して撮影を終える。次のステップＳ３０３９で電荷の転送つまりＣＣＤ固体撮像素子１１２から画像信号を出力させてステップＳ３０３７へ進む。ステップＳ３０３７で撮影を継続するかどうかを判定して継続する場合には、ステップＳ３０３１へ戻ってステップＳ３０３１からステップＳ３０３３、さらにステップＳ３０３８、ステップＳ３０３９の処理を繰り返し、ステップＳ３０３７で連写枚数が所定枚数に達したと判定したらこのフローの処理を終了して図３（ａ）のステップＳ３０４に戻る。
【００４８】
このフローの処理が実行されると、連写モードで連写撮影が行なわれているときにはメインＣＰＵ１１０と測光・測距ＣＰＵ１２０とからなる上記露出制御手段によって、連写開始時には機械式シャッタ１１１３の開閉で露出が決定され、その機械式シャッタ１１１３が開閉駆動されることにより機械式シャッタ１１１３の駆動部の温度が上昇して駆動部に不具合が発生しそうな撮影枚数にまで達したときにはＣＣＤ固体撮像素子が備える電子シャッタにより優先的に露出が決定されるように露出が制御される。
【００４９】
つまり、これ以上機械式シャッタ１１１３により露出を制御して連写を行なうと駆動部が発熱して最後まで撮影を行なうことができそうもないときには上記露出制御手段が電子シャッタにより露出が決定される様に制御することにより撮影を最後まで行なうことができる様にしている。
【００５０】
以上説明した様に連写撮影中において最後まで確実に撮影が行なわれる撮影装置が実現する。
【００５１】
図４、図５は、第２実施形態を説明する図である。
【００５２】
機械式シャッタ１１１３の駆動部に温度センサＴＳを配備した以外は、図２の構成と同じ構成である。また、ステップＳ３０３３の処理がステップＳ３０３３Ａに変更され、ステップＳ３０３３の判定基準が撮影枚数が所定の枚数を超えたかどうかから、温度センサＴＳで検出された温度が所定温度を超えたかどうかに変更された以外は、図３の処理と同じ処理である。この様にしても良い。
【００５３】
図６は、第１実施形態の変形例を説明する図である。
【００５４】
図３（ｂ）に示すステップＳ３０３３の処理で所定枚数に達したと判定して図２に示すメインＣＰＵ１１０と測光・測距ＣＰＵ１２０とが連携して電子シャッタへの切り替えを行なったときに、メインＣＰＵ１１０が、バスを介して画像表示ＬＣＤ１５に指示して表示画面上に撮影時の画像に加えてシャッタが電子シャッタであることを表示させる様にしている。
【００５５】
この様にすると、撮影者が、図６に示す表示画面の表示を見て電子シャッタによる撮影では画質が落ちると考えた場合には撮影を即座に中止することができる。このときには、撮影者が連写撮影を行なう代わりに、一枚、一枚シャッタを押すことによって一枚、一枚別々に撮影を行なって同じ被写体を撮影すれば良い。
【００５６】
図７は、さらなる変形例を説明する図である。
【００５７】
図７には、Ｅｘｉｆファイルをメモリカードに記録するときのメモリ割当が示されている。図７に示す様に、上からスタートコード領域、次にタグ領域、さらにサムネイル領域が割り当てられていて、それらの下方に主画像の記録領域が割り当てられている。
【００５８】
図３（ａ）のステップＳ３０８の処理で、メインＣＰＵ１１０が、圧縮・伸張部１１７に画像ファイル（Ｅｘｉｆファイル）の記録をメモリカードに行なわせるときには、図のタグ領域に、電子シャッタで撮影された画像データについては電子シャッタで撮影されたことを対応づけて記録させる様にしている。図７には、連写の枚数Ｎから電子シャッタにより露出が制御されたことが情報として記憶されていることが示されている。
【００５９】
この様にしておくと、撮影者が撮影モードから再生モードに切り替えたことを受けてメインＣＰＵ１１０が画像データに基づく画像を画像表示部１５が備える表示画面１５０上に表示する際、上記記録手段によって画像データに対応づけてタグ領域に記録されている上記データが表わすシャッタに関する情報も、画像データが表わす画像とともに表示画面上に表示することができる（図６参照）。
【００６０】
その結果、撮影者は、その表示画面上の表示を見て撮影画像の画質の劣化の原因が電子シャッタにあることにすぐに気づく様になる。
【００６１】
こうして撮影者が撮影画像の画質の劣化が電子シャッタにあることに気づく様になると、この撮影者が新たな撮影を行なっている最中に電子シャッタへの切り替えが通知されたときには撮影を即座に中止するか、また画質が落ちることを承知の上で撮影を続行するかを自らの判断により選択することができる様になる。
【図面の簡単な説明】
【００６２】
【図１】本発明の撮影装置の一実施形態であるデジタルカメラを示す図である。
【図２】図１のデジタルカメラ１００内部の電気系統の構成ブロック図である。
【図３（ａ）】メインＣＰＵ１１０と測光・測距ＣＰＵ１２０が行なう撮影処理の手順を示すフローチャートである。
【図３（ｂ）】図３（ａ）の露光ステップＳ３０３の詳細を示すフローチャートである。
【図４】第２実施形態を説明する図である。
【図５】第２実施形態を説明する図である。
【図６】第１実施形態の変形例を説明する図である。
【図７】更なる変形例を説明する図である。
【符号の説明】
【００６３】
１００    デジタルカメラ
１０１    操作子群
１０１ａ      電源スイッチ
１０１ｂ    十字キー
１０１ｃ    メニューキー
１０１ｄ    キャンセルキー
１０１ｅ      モードレバー
１０２        レリーズ釦
１０５    ファインダ
１１０    メインＣＰＵ
１１１０    １１１１  撮影レンズ
１１１２    絞り
１１１３    機械式シャッタ
１１２    ＣＣＤ固体撮像素子
１１２１    クロックジェネレータ（ＣＧ）
１２０  測光・測距ＣＰＵ
１６      補助光発光部
１６ａ    Ｘｅ管発光制御部
１６１      補助光発光窓
１７０    レンズ鏡胴
【図１】
2008060630.tif 000003
【図２】
2008060630.tif 000004
【図３（ａ）】
2008060630.tif 000005
【図３（ｂ）】
2008060630.tif 000006
【図４】
2008060630.tif 000007
【図５】
2008060630.tif 000008
【図６】
2008060630.tif 000009
【図７】
2008060630.tif 000010